(57)【要約】【課題】変調を用いて任意の振幅及び位相制御を施すことが可能な平衡信号を生成すること。【解決手段】被変調差動（平衡）駆動信号を生成するための手段を開示する。これらの駆動信号の少なくとも１方の位相を他方の駆動信号を基準として制御することができ、双方の駆動信号の振幅を制御することができ、双方の駆動信号は同じ変調エンベロープを有する。１実施形態では、コヒーレントな信号が第１の電子信号発生器(ESG)で発生されて第２のESGに供給される。コヒーレントな信号が、第２のESGの通常の入力信号に取って代わり、第２のESGのＩ及びＱ入力が、出力信号の振幅と位相を制御する。この出力信号は、ベクトル変調器への通常の入力信号の代わりに第３のESGに印加される。ベクトル変調器は、第１のESGのものと同じＩ及びＱ入力によって制御され、これによって、第１のESGからの出力信号と同じ変調エンベロープを有する出力信号を生成する。【選択図】図１
2004312715.tif 000002
【特許請求の範囲】
【請求項１】
制御入力信号の制御下で第１の出力信号の振幅及び位相を制御するための第１の回路であって、前記第１の出力信号が入力信号を変更したものであることからなる、第１の回路と、
前記第１の出力信号と位相干渉性のある第２の出力信号を提供するための第２の回路であって、前記第１の出力信号との関係において前記第２の入力信号の一つの位相を調整するよう動作可能な第２の回路と、
前記第２の出力信号を受け入れ、及び、制御入力信号の制御下で前記第２の出力信号の振幅及び位相を制御して第３の出力信号を提供するための第３の回路であって、前記第１及び第３の出力信号により、双出力信号源信号が形成されるようにすることからなる、第３の回路
を備える、双出力信号源。
【請求項２】
前記第３の回路の制御入力信号は、前記第１の回路の制御信号と同一である、請求項１に記載の双出力信号源。
【請求項３】
前記第２の入力信号を受け入れ、及び、入力信号の制御下で前記入力信号の振幅及び位相を制御して、前記双出力信号に対して制御された関係にある振幅及び位相を有する少なくとも第４の出力信号を提供するための少なくとも第４の回路をさらに備える、請求項１に記載の双出力信号源。
【請求項４】
差動出力を提供するための回路であって、
持続波（ＣＷ）信号を受信するための入力と、
第１の複素被変調Ｉ制御信号及びＱ制御信号を受信するための第１の入力と、
第２のＩ制御信号及びＱ制御信号を受信するための第２の入力と、
第３の複素被変調Ｉ制御信号及びＱ制御信号を受信するための第３の入力と、
前記ＣＷ信号を受信し、及び、前記第１の複素被変調Ｉ制御入力及びＱ制御入力の制御下で振幅及び位相が変調された第１の出力信号を提供するための第１のベクトル変調器と、
前記ＣＷ信号の一部を受信し、そこから前記第２のＩ制御入力及びＱ制御入力の制御下で位相変調された第２の出力信号を提供するための第２のベクトル変調器と、
前記第２の出力信号を受信し、そこから前記第３の複素被変調Ｉ制御信号及びＱ制御信号の制御下で振幅及び位相変調された第３の出力信号を提供するための第３のベクトル変調器であって、前記第１及び第３の出力信号によって前記双出力が形成されることからなる、第３のベクトル変調器
を備える、回路。
【請求項５】
被変調平衡出力信号を提供するための回路であって、
持続波（ＣＷ）ＲＦ信号と、該ＣＷ ＲＦ信号と干渉性を有する出力信号を提供するための信号源と、
前記ＣＷ ＲＦ信号を受け入れ、Ｉ入力及びＱ入力の制御下で、被変調第１出力信号の振幅及び位相を制御するための変調器と、
前記干渉性を有する出力信号を受け入れ、Ｉ入力及びＱ入力の制御下で、被変調第２出力信号の振幅及び位相を制御するための第２の変調器と、
前記被変調第２出力信号を受け入れ、第１の被変調Ｉ入力及びＱ入力の制御下で、被変調第３出力信号の振幅及び位相を制御するための第３の変調器であって、前記第１及び第３の出力信号によって被変調平衡差動対が形成されることからなる、第３の変調器
を備える、回路。
【請求項６】
被変調差動信号を提供する方法において、
第１の出力信号の振幅及び位相を制御するステップであって、該第１の出力信号は入力信号を変更したものであることからなる、ステップと、
前記第１の出力信号と位相干渉性を有する第２の出力信号を提供するステップと、
前記第２の出力信号の位相を前記第１の出力信号との関係において調整するステップと、
前記第１の出力信号の位相及び振幅の制御と全く同様に第３の出力信号の振幅及び位相を制御するために、前記第２の出力信号をベクトル変調器に提供するステップ
を含む、方法。
【発明の詳細な説明】
【技術分野】
【０００１】
本発明は平衡差動出力発生回路に係り、より詳しくは変調を用いて任意の振幅及び位相制御を施すことが可能な平衡被変調信号を生成するためのシステム及び方法に関する。
【背景技術】
【０００２】
技術の進歩は、より小型でより低電力のデバイスを可能にしてきた。これらの装置の構成の多くは、今では、伝統的な単終端式の（すなわち、非平衡終端された）入力及び出力端に代え、平衡（すなわち差動）入力ドライバを用いている。かくして、２ポート平衡装置は４つの単終端式接続、すなわち正入力と負入力及び正出力と負出力をもつことになる。その線形領域で動作する受動デバイス或いは能動デバイスについては、平衡デバイスからの個々の単終端構成の応答を計測し、その結果を数学的に結合して差動すなわち平衡応答を得ることで十分であることが知られている。これを正確に動作させるにはデバイスは線形動作しなければならず、それは、信号が十分に小さく、デバイスの挙動が信号レベルにより変化しないようにすることを意味する。
【発明の開示】
【発明が解決しようとする課題】
【０００３】
しかしながら、多くの装置はそれらの動作範囲の全てにわたっては線形ではない。例えば、増幅器では大信号と小信号の間でバイアス電流が変わることもある。この種のデバイスにとって、適切な振幅及び位相関係を示す実時間信号をもってそれらを駆動することが必要である。これらの駆動信号を、同一振幅でかつ１８０度の位相差をもって試験対象デバイス（ＤＵＴ）の入力ポート（正及び負）に出現させ、真の差動信号となるようにしなければならない。
【０００４】
いくつかのアプリケーションではバラン（平衡不平衡変成器）がしばしば用いられるが、バランは、デバイスとバランの間の接続に起因するどんな位相オフセットの導入も排除するようデバイスのごく近傍に配置される。しかしながら、試験機器用途では、相互接続を十分良好に制御して所望の平衡を維持することは不可能であろう。さらに、多くの装置において用いられる信号方式は複雑な変調形態をなし、相当広い帯域を有する。バランは、この広い帯域にわたる被変調信号をゆがめることがある。
【課題を解決するための手段】
【０００５】
本発明は、二つの出力を有する信号源を構成することによって、被変調差動駆動の問題を解決するシステム及び方法に関する。この信号源の少なくとも一方の位相を他方に対し（または、他方を基準にして）制御することができ、信号源の両方の振幅を制御することができ、かつ、信号源の両方の変調エンベロープは同じである。１実施形態では、可干渉性信号（干渉性を有する信号、またはコヒーレントな信号）を第１の電子信号発生器（ＥＳＧ）において生成し、第２のＥＳＧに印加する。可干渉性信号が第２のＥＳＧの通常の（または標準的な）入力信号と置き換わり、第２のＥＳＧのＩ入力及びＱ入力によって出力信号の振幅と位相が制御される。この出力信号は、ベクトル変調器への通常の入力信号の代わりに第３のＥＳＧに印加される。このベクトル変調器は、第１のＥＳＧと同じＩ入力（または同相成分入力）及びＱ入力（または直交成分入力）によって制御され、それによって、第１のＥＳＧからの出力信号と同じ変調エンベロープを有する出力信号を生成する。
【０００６】
前述のことは、以下の本発明の詳細な説明がさらに良好に理解されるよう本発明の特徴と技術的な利点をやや幅広く概説したものである。本発明の特許請求の範囲の主題を形成する本発明の追加の特徴ならびに利点については後述する。開示した概念及び特定の実施形態を、本発明と同一の目的を実行するための他の構成に変更し、またはそのような他の構成を設計するための基本として容易に用い得ることが当業者には理解されよう。この種の等価な構成が特許請求の範囲に記載した本発明の思想ならびに範囲から逸脱しないこともまた当業者には理解されよう。構成ならびに動作方法の双方に関する本発明の特徴であると信ずる新規の特徴は、さらなる目的及び利点と併せ、添付図面に関連して考察したときに以下の説明からより良好に理解されよう。しかしながら、各図は例示と説明のみを目的に提供したものであって、本発明を限定することを意図したものではないことは言うまでもない。
【実施例】
【０００７】
本発明をより完全に理解するため、以下、添付図面を参照して説明する。
【０００８】
図１は電子信号発生器（ＥＳＧ）１１、１２、及び１３を有するシステム１０を示しており、各発生器はベクトル変調器と任意波形発生器を用いて複素信号（または複合信号）を供給する。ＥＳＧ１１、１２及び１３は、アジレント（Ａｇｉｌｅｎｔ）社部品番号Ｅ４４３８Ｂやその等価物として入手可能である。信号源は、持続波（ＣＷ）周波数信号（または、連続波周波数信号。以下同じ）を生成する合成器１０１−１によって生成される。この信号は、スプリッタ１４０を用いて分割され、この信号の一部はノード１０５へ送られ、この同じ信号の一部もまたベクトル変調器１０２−１に送られる。ノード１０５へ行く信号の一部は、可干渉性搬送波（またはコヒーレントキャリア）と呼ばれる。
【０００９】
ベクトル変調器１０２−１は、Ｉ入力及びＱ入力１０３−１の指示下で、ＥＳＧ１１のノード１１１に現れる出力信号の振幅及び位相を制御する。この出力信号は、ノード１０５上の信号と位相干渉性を有する（または、位相がコヒーレントである）。
【００１０】
１実施例では、ノード１０５の信号はＥＳＧ１２のノード１０６に送られる。ＥＳＧ１２はＥＳＧ１１の修正版であり、内部合成器１０１−２を迂回（バイパス）して外部信号を印加し、ノード１０６をＥＳＧ１２のベクトル変調器１０２−２に接続することができるようにするための手段が設けられる。これにより、ＥＳＧ１１からのノード１０６上の可干渉性搬送信号（または、コヒーレントキャリア信号）をＥＳＧ１２のベクトル変調器１０２−２に印加することができる。有利なことに、可制御（すなわち、制御可能な）直流（ＤＣ）入力であるＩ入力及びＱ入力１０３−２は、ベクトル変調器１０２−２を選択的に制御し、それによって、可干渉性搬送波がノード１１２に出現する際に可干渉性搬送波の信号振幅または位相を制御する。かくして、ノード１１２は、振幅及び位相が調整されかつノード１１１上の信号に対し位相干渉性を有する（すなわち、位相コヒーレントな）信号をその上に有する。
【００１１】
平衡被変調信号が必要であるときは、第２のＥＳＧ１２のベクトル変調器１０２−２をＩ入力及びＱ（直流）入力１０３−２の制御下で設定して、ノード１１２上に供給される可干渉性搬送信号（この信号は、ＥＳＧ１２と同じように変更される、第３のＥＳＧ１３のノード１０７に対する入力となる）に１８０度の位相シフトを生成する。ノード１０７上の信号はベクトル変調器１０２−３へ行き、ＥＳＧ１１に対するＩ入力及びＱ入力と同じＩ入力及びＱ入力１０３−３により振幅及び位相が制御される。ＥＳＧ１３からの出力１１３は、ＥＳＧ１１からの出力１１１と対にされ、被変調差動出力１３１を形成する。
【００１２】
変調エンベロープが同じとなり、搬送波（キャリア）の位相だけが影響を受けるように、任意波形発生器１２１は、ＥＳＧ１１のベクトル変調器１０２−１とＥＳＧ１３のベクトル変調器１０２−３に同一の信号を供給する。
【００１３】
一般に、第１のＥＳＧ用の搬送波と第２のＥＳＧ用の搬送波の間の任意の位相関係を、この種の構成をもって達成することが可能である。第１及び第３の信号源の出力段が独立した振幅制御（図示せず）を有する場合、関係する被変調出力の振幅及び位相に関する任意の関係を得ることができる。したがって、他の任意のオフセットだけでなく、差動式で、共通の単終端型の構成を、そのように構成された信号源から得ることができる。
【００１４】
可干渉性搬送波をノード１０８に図示した如く必要なだけ分割し、回路１３−Ｎ（図示せず）のように他の回路へ送り、Ｉ変調及びＱ変調を適用することが可能な複数の第３の変調器に対して複数の位相シフトされた出力を供給できることに留意されたい。また、この構成により双（または複数の）出力信号源が可能となり、振幅と位相を任意に調整できることに留意されたい。そのため、搬送波の位相を、回路１１及び１３に適用される異なる変調を用いて制御することができる。これを用いて、例えば、回路１１からの上側側波帯信号と回路１３からの下側側波帯信号を生成することができ、この場合、それらの信号は既知の位相関係を有する。
【００１５】
図２は、スペクトルアナライザに結合された、出力間に０度位相を有する３トーン被変調信号（three tone modulated signal）（２０１）と出力間に１８０度位相を有する３トーン被変調信号（２０２）との比較を示す。抑圧度（ｄＢ降下）は、二つの信号が如何に良好に平衡しているか、すなわち１８０度離れかつ同一の変調を有するかの測度である。完全な一致は、ゼロ出力をもたらすであろう。
【００１６】
図３は、出力１１２と対比した所望の位相設定の関数としての出力１１１の位相（グラフ２０１）を示す。すなわち、４５度（ポイント２０２）の位相設定では、信号１１１と１１２の間の位相差は７度を若干上回り、その一方で９０度（ポイント２０３）の位相設定では、位相差は反対方向に１度である。ほぼ１８０度（ポイント２０４）において、信号は同相となる。このことは、位相出力が線形でないことを示すものである。
【００１７】
これらの信号を較正プロセス（例えば、較正ルックアップテーブル）に用いると、任意の小さな位相誤差を得ることができるように位相を補正することができる。この種の較正を遂行する一つの方法が、本願と同時出願した「ＳＹＳＴＥＭ  ＡＮＤ  ＭＥＴＨＯＤ  ＦＯＲ  ＣＡＬＩＢＲＡＴＩＮＧ  ＢＡＬＡＮＣＥＤ  ＳＩＧＮＡＬＳ」と題する同時係属米国特許出願第１０／４０５，５３３号（代理人整理番号第１００３００４２−１号）に示されている。
【００１８】
図３の波形３０１は位相の補正結果を示しており、位相補正の分解能は１度である。元々の位相関係が、２０１として図示してある。予想される如く、得られた位相出力３０１は１度（ゼロの両側１／２度）未満に補正されている。
【００１９】
位相と振幅が可変である二つ（又はそれより多くの）位相可干渉性信号源を有する多くの用途（応用形態）が存在し、問題解決に有益なものとなり得る。この種の一つの用途がロードプルであり、この場合、或るレベルでデバイス（通常は増幅器）を駆動したときに特定値の出力反射係数を生成することが望ましい。このことは、デバイスが非線形挙動を引き起こすレベルで駆動されるときに特に重要である。駆動信号とコヒーレントな反射の振幅及び位相を変更する能力をもつことで、信号の位相関係に関係なく試験対象デバイスに対して任意の見かけ上の負荷を生成することが可能となる。
【００２０】
図４に示す如く、試験装置４２は、スイッチ４１１−１にてシステム１０の差動対１３１のノード１１１から信号を受信し、その信号をデバイス４２０等の試験対象デバイスに印加する。ノード１１１における信号が有するのと同じ変調器エンベロープを有するノード１１３における信号が、スイッチ４１１−２を介して負荷試験信号としてデバイス４２０へ印加され、それによって試験対象デバイスに対し所定の見かけ上の負荷を提供する。ノード１３１におけるこの差動信号は、図２に関して説明したように生成される。
【００２１】
ＥＳＧ１１、１２及び１３を個別回路として図示したが、所望に応じて、それらの１つ以上を組み合わせることができ、また、１または全てのＥＳＧの代わりとして他の回路を用いことができることに留意されたい。また、信号源１０１−１からの入力信号を外部信号源により供給することもできる。
【００２２】
以下においては、本発明の種々の構成要件の組み合わせからなる例示的な実施態様を示す。
１．制御入力信号の制御下で第１の出力信号の振幅及び位相を制御するための第１の回路であって、前記第１の出力信号が入力信号を変調したものであることからなる、第１の回路と、
前記第１の出力信号と位相がコヒーレントな第２の出力信号を提供するための第２の回路であって、前記第１の出力信号との関係において前記第２の入力信号の一つの位相を調整するよう動作可能な第２の回路と、
前記第２の出力信号を受け入れ、及び、制御入力信号の制御下で前記第２の出力信号の振幅及び位相を制御して第３の出力信号を提供するための第３の回路であって、前記第１及び第３の出力信号により、デュアル出力信号源信号が形成されるようにすることからなる、第３の回路
を備える、デュアル出力信号源。
２．前記第３の回路の制御入力信号は、前記第１の回路の制御信号と同一である、上項１に記載のデュアル出力信号源。
３．前記第２の入力信号を受け入れ、及び、入力信号の制御下で前記入力信号の振幅及び位相を制御して、前記デュアル出力信号に対して制御された関係にある振幅及び位相を有する少なくとも第４の出力信号を提供するための少なくとも第４の回路をさらに備える、上項１に記載のデュアル出力信号源。
４．前記第１、第２及び第３の回路は電子信号発生器（ＥＳＧ）回路であり、各ＥＳＧが信号入力とＩ制御入力及びＱ制御入力を有する少なくとも一つのベクトル変調器を備え、前記第２及び第３のＥＳＧ信号入力は、他の前記ＥＳＧの少なくとも一つから少なくとも部分的に得られることからなる、上項１に記載のデュアル出力信号源。
５．前記第２のＥＳＧに対する前記Ｉ入力及びＱ入力は、制御可能な直流入力である、上項４に記載のデュアル出力信号源。
６．前記通常の内部入力信号は、前記第２及び第３のＥＳＧ信号入力により迂回されていることからなる、上項４に記載のデュアル出力信号源。
７．前記出力の振幅及び位相を、前記出力の振幅が同一で、該出力の位相が１８０度離れるように調整する、上項１記載のデュアル出力信号源を含むデュアル出力源。
８．差動出力を提供するための回路であって、
持続波（ＣＷ）信号を受信するための入力と、
第１の複素被変調Ｉ制御信号及びＱ制御信号を受信するための第１の入力と、
第２のＩ制御信号及びＱ制御信号を受信するための第２の入力と、
第３の複素被変調Ｉ制御信号及びＱ制御信号を受信するための第３の入力と、
前記ＣＷ信号を受信し、及び、前記第１の複素被変調Ｉ制御入力及びＱ制御入力の制御下で振幅及び位相が変調された第１の出力信号を提供するための第１のベクトル変調器と、
前記ＣＷ信号の一部を受信し、そこから前記第２のＩ制御入力及びＱ制御入力の制御下で位相変調された第２の出力信号を提供するための第２のベクトル変調器と、
前記第２の出力信号を受信し、そこから前記第３の複素被変調Ｉ制御信号及びＱ制御信号の制御下で振幅及び位相変調された第３の出力信号を提供するための第３のベクトル変調器であって、前記第１及び第３の出力信号によって前記デュアル出力が形成されることからなる、第３のベクトル変調器
を備える、回路。
９．前記第１及び第３の変調器に対する前記複素被変調Ｉ及びＱ入力が同一信号である、上項８に記載の回路。
１０．前記第１の出力信号の前記振幅が前記第３の出力信号に一致するように、及び、位相が１８０度だけずれるように、前記第２の出力信号の位相及び振幅が調整されることからなる、上項８に記載の回路。
１１．前記各ベクトル変調器は、ＥＳＧの一部である、上項８に記載の回路。
１２．個々のＥＳＧにおける前記ベクトル変調器への通常のＥＳＧ入力信号が迂回させられる、上項１１に記載の回路。
１３．被変調平衡出力信号を提供するための回路であって、
持続波（ＣＷ）ＲＦ信号と、該ＣＷ ＲＦ信号とコヒーレントな出力信号を提供するための信号源と、
前記ＣＷ ＲＦ信号を受け入れ、Ｉ入力及びＱ入力の制御下で、被変調第１出力信号の振幅及び位相を制御するための変調器と、
前記コヒーレントな出力信号を受け入れ、Ｉ入力及びＱ入力の制御下で、被変調第２出力信号の振幅及び位相を制御するための第２の変調器と、
前記被変調第２出力信号を受け入れ、第１の被変調Ｉ入力及びＱ入力の制御下で、被変調第３出力信号の振幅及び位相を制御するための第３の変調器であって、前記第１及び第３の出力信号によって被変調平衡差動対が形成されることからなる、第３の変調器
を備える、回路。
１４．前記第１の変調器は第１の信号源と第１のベクトル変調器を有する第１の電子信号発生器（ＥＳＧ）内にあり、前記第２の変調器は第２の信号源と第２のベクトル変調器を有する第２のＥＳＧ内にあり、前記第１の信号源の一部が前記第２の信号源からの前記信号の代わりに前記第２のベクトル変調器に提供され、前記第３のベクトル変調器は第３の信号源を有する第３のＥＳＧの一部であり、前記第２の出力信号が前記第３の信号源からの前記信号の代わりに前記ベクトル変調器に提供されることからなる、上項１２に記載の回路。
１５．前記第２の変調器に対するＩ及びＱ入力は制御可能な直流信号である、上項１４に記載の回路。
１６．被変調差動信号を提供する方法において、
第１の出力信号の振幅及び位相を制御するステップであって、該第１の出力信号は入力信号を変調したものであることからなる、ステップと、
前記第１の出力信号と位相がコヒーレントな第２の出力信号を提供するステップと、
前記第２の出力信号の位相を前記第１の出力信号との関係において調整するステップと、
前記第１の出力信号の位相及び振幅の制御と同様に第３の出力信号の振幅及び位相を制御するために、前記第２の出力信号をベクトル変調器に提供するステップ
を含む、方法。
１７．前記第１の出力信号の前記振幅が前記第２の出力信号に一致するように、及び、位相が１８０度だけずれるように、前記第２の出力信号の位相及び振幅を調整する、上項１６に記載の方法。
１８．前記第２の出力信号の振幅及び位相を調整する前記ステップは、前記第２の出力信号に関連したＩ入力及びＱ入力に対する直流信号を制御するステップを含む、上項１７に記載の方法。
１９．被変調平衡出力信号を提供する方法において、
持続波（ＣＷ）入力信号と、該ＣＷ入力信号とコヒーレントな出力信号を提供するステップと、
前記ＣＷ入力信号を受け入れ、第１のＩ入力及びＱ入力の制御下で、被変調第１出力信号の振幅及び位相を制御するステップと、
前記コヒーレントな出力信号を受け入れ、第２のＩ入力及びＱ入力の制御下で、被変調第２出力信号の位相を制御するステップと、
前記第２の出力信号を受け入れ、前記第１のＩ入力及びＱ入力の制御下で、被変調第３出力信号の振幅及び位相を制御するステップであって、前記第１及び第３の被変調出力信号によって被変調平衡差動対が形成されることからなる、ステップ
を含む、方法。
２０．ＣＷ入力信号を受け入れる前記ステップは、第１の信号源及び第１のベクトル変調器を有する第１の電子信号発生器（ＥＳＧ）内で実行され、前記コヒーレントな出力信号を受け入れるステップは、第２の信号源及び第２のベクトル変調器を有する第２のＥＳＧ内で実行され、前記第１の信号源の一部が前記第２の信号源からの信号の代わりに前記第２のベクトル変調器に提供され、前記第２の出力信号を受け入れるステップは、第３のベクトル変調器及び第３の信号源を有する第３のＥＳＧ内で実行され、前記第２の出力が前記第３の信号源からの信号の代わりに前記第３のベクトル変調器に提供されることからなる、上項１９に記載の方法。
２１．前記第２の変調器は、制御可能な直流Ｉ信号及びＱ信号により制御される、上項２０に記載の方法。
２２．複数の出力信号を提供するための回路であって、
信号入力として持続波（ＣＷ）周波数信号源を有する第１のＩ入力及びＱ入力を有する第１の変調回路と、
Ｉ入力及びＱ入力を有しかつ信号入力を有する第２の変調回路と、
前記第１の変調回路の前記第１のＩ入力及びＱ入力を含み、該第１の変調回路の出力信号の振幅及び位相を制御するための手段であって、前記出力信号は、前記ＣＷ信号の第１の部分を変調したものであることからなる、手段と、
前記第２の変調回路の前記Ｉ入力及びＱ入力を含み、該第２の変調回路からの出力信号の振幅及び位相を制御するための手段であって、前記出力信号は、前記第２の変調回路の前記信号入力に印加された、前記第１の変調回路からの前記ＣＷ信号の第２の部分を変調したものであることからなる、手段と、
Ｉ入力及びＱ入力を有するとともに信号入力を有する第３の変調回路と、
前記第３の変調器に印加される前記第１のＩ入力及びＱ入力を含み、かつ、前記第３の変調回路の前記信号入力に印加された前記第２の出力を含み、第３の出力を提供するための手段であって、前記第１及び第３の出力によって被変調平衡出力信号が提供されることからなる、手段
を備える、回路。
２３．前記第１の変調回路制御手段は、前記第１の変調回路の前記出力信号とコヒーレントな信号を前記第２の変調器に提供するためのスプリッタを備えることからなる、上項２２に記載の回路。
２４．デバイスを試験するための回路であって、該デバイスに印加される第１の信号に対して変調された関係にある振幅及び位相を有する第２の信号を、前記デバイスに印加することが望ましいことからなる、回路において、
第１の出力信号の振幅及び位相を制御するための第１の回路であって、前記第１の出力信号は、入力信号を変調したものであり、前記入力信号は、振幅または位相が制御されていないことからなる、第１の回路と、
前記第１の出力信号と位相がコヒーレントな第２の出力信号を提供するための第２の回路と、
前記第１の信号との関係において前記第２の出力信号の位相及び振幅を調整するための回路と、
前記第２の出力信号を入力信号として有し、第３の出力信号の振幅及び位相を制御するための第３の回路であって、該第３の出力信号が前記第２の信号として前記デバイスに印加されることからなる、第３の回路
を備える、回路。
【００２３】
本発明による被変調差動（平衡）駆動信号を生成するための手段においては、それらの駆動信号の少なくとも１方の位相を他方の駆動信号を基準として制御することができ、双方の駆動信号の振幅を制御することができ、双方の駆動信号は同じ変調エンベロープを有する。１実施形態では、コヒーレントな信号が第１の電子信号発生器(ESG)で発生されて第２のESGに供給される。コヒーレントな信号が、第２のESGの通常の入力信号に取って代わり、第２のESGのＩ及びＱ入力が、出力信号の振幅と位相を制御する。この出力信号は、ベクトル変調器への通常の入力信号の代わりに第３のESGに印加される。ベクトル変調器は、第１のESGのものと同じＩ及びＱ入力によって制御され、これによって、第１のESGからの出力信号と同じ変調エンベロープを有する出力信号を生成する。
【００２４】
本発明とその利点を詳細に説明してきたが、特許請求の範囲によって規定された本発明の思想及び範囲から逸脱することなく様々な変形や置換や代替が可能であることを理解されたい。さらに、本出願の範囲を本明細書中に記載したプロセス、機械、製造、組成、手段、方法及びステップの特定の実施形態に限定することは意図されていない。本発明の開示から当業者には容易に理解される如く、既存のまたは後で開発されるような、本願明細書にて説明したものに対応する実施形態とほぼ同じ機能を果たすかまたはほぼ同じ成果を達成するプロセス、機械、製造、組成、手段、方法、ステップを本発明に従って利用することが可能である。従って、特許請求の範囲には、そのようなプロセス、機械、製造、組成、手段、方法及びステップが含まれる。
【図面の簡単な説明】
【００２５】
【図１】差動出力を提供するシステム及び方法の１実施形態を示すブロック図である。
【図２】図１の回路の出力特性を示すグラフである。
【図３】図１の回路の出力特性を示すグラフである。
【図４】開示した概念を用いた試験システムの１実施形態を示す図である。
【符号の説明】
【００２６】
１０  システム（双出力信号源または双出力信号生成システム）
１１  第１の回路（電子信号発生器：ＥＳＧ）
１２  第２の回路（電子信号発生器：ＥＳＧ）
１３  第３の回路（電子信号発生器：ＥＳＧ）
４２  第４の回路（試験装置）
１０１−１、１０１−２、１０１−３  ソース（信号発生器）
１０２−１、１０２−２、１０２−３  ベクトル変調器
４２０  試験対象デバイス（ＤＵＴ）
【図１】
2004312715.tif 000003
【図２】
2004312715.tif 000004
【図３】
2004312715.tif 000005
【図４】
2004312715.tif 000006